(57)【特許請求の範囲】
【請求項１】
道路工事の過程を撮影した工事写真の撮影枚数を取得するアルバム写真枚数取得部と
前記道路工事の内容を示す工事情報を取得する工事情報取得部と、
前記工事情報に基づき、工事が所定規則に従って行われたことを示す工事アルバムの編集に要求される要求写真枚数を算出する要求写真枚数算出部と、
前記要求写真枚数を、前記工事アルバム用の前記工事写真の枚数がどれだけ満たしているか判定する充足度判定部と、
を備えることを特徴とする道路工事写真アルバム充足度判定装置。
【請求項２】
前記工事情報取得部が、前記道路工事の工事種別、工事区間の長さ、および工事区間の幅を取得することを特徴とする請求項１に記載の道路工事写真アルバム充足度判定装置。
【請求項３】
前記工事情報取得部に入力された工事種別から工事種別毎に決められた写真撮影ポイントを規定する規格を取得するアルバム編集規格取得部を有することを特徴とする請求項１または請求項２に記載の道路工事写真アルバム充足度判定装置。
【請求項４】
道路工事の過程を撮影した工事写真の撮影枚数を取得する撮影枚数取得ステップと、
前記工事写真のうち、工事が所定規則に従って行われたことを示す工事アルバム用の前記工事写真の枚数を数えるアルバム写真枚数取得ステップと、
道路工事の内容を示す工事情報を取得する工事情報取得ステップと、
工事情報に基づき、前記工事アルバムの作成に要求される要求写真枚数を算出する要求写真枚数算出ステップと、
前記要求写真枚数を、前記工事アルバム用の前記工事写真の枚数がどれだけ満たしているか判定する充足度判定ステップと、
を備えることを特徴とする道路工事写真アルバム充足度判定方法。
【請求項５】
前記工事情報取得ステップが、前記道路工事の工事種別、工事区間の長さ、および工事区間の幅を取得することを特徴とする請求項４に記載の道路工事写真アルバム充足度判定方法。
【請求項６】
前記工事情報取得ステップにおいて入力された工事種別から工事種別毎に決められた写真撮影ポイントを規定する規格を取得するアルバム編集規格取得ステップを有することを特徴とする請求項４または請求項５に記載の道路工事写真アルバム充足度判定方法。
【発明の詳細な説明】
【０００１】
【発明の属する技術分野】
本発明は、道路工事写真アルバム充足度判定装置に関する。特に本発明は、道路工事写真アルバムで使用される工事写真が、道路工事写真アルバム作成に必要な工事写真の枚数を充足するか判定する装置に関する。
【０００２】
【従来の技術】
通常、行政機関から発注された道路工事においては、その工事を請け負った建設業者は、道路工事の過程を撮影した工事写真をある規格に則った工事写真アルバムに編集して、発注者である行政機関へ提出する必要がある。なお、このとき使われる工事写真は、工事の種別や、工事区間の長さ、および道路の幅によって規定された、撮影すべきポイントにおいて撮影された写真である必要がある。アルバム編集に必要な工事写真の枚数は、道路工事の規模によっては、数千枚にも及ぶことがある。
【０００３】
【発明が解決しようとする課題】
従って、従来工事写真アルバムの編集において、処理すべき写真が多数になる場合には、アルバムに使われた工事写真が規定どおりの写真の枚数を満たしているかが大変わかりずらかった。また、同様なことは、工事写真を撮影している段階においても十分想定される。
【０００４】
そこで本発明は、上記の課題を解決することのできる道路工事写真アルバム充足度判定装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の道路工事写真アルバム充足度判定装置は、道路工事の過程を撮影した工事写真の撮影枚数を取得するアルバム写真枚数取得部と道路工事の内容を示す工事情報を取得する工事情報取得部と、工事情報に基づき、工事が所定規則に従って行われたことを示す工事アルバムの編集に要求される要求写真枚数を算出する要求写真枚数算出部と、要求写真枚数を工事アルバム用の工事写真の枚数がどれだけ満たしているか判定する充足度判定部と、を備える。
【０００６】
工事情報取得部が、道路工事の工事種別、工事区間の長さ、および工事区間の幅を取得しても良い。工事情報取得部に入力された工事種別から工事種別毎に決められた写真撮影ポイントを規定する規格を取得するアルバム編集規格取得部を有しても良い。
【０００７】
本発明の道路工事写真アルバム充足度判定方法は、道路工事の過程を撮影した工事写真の撮影枚数を取得するアルバム写真枚数取得ステップと、工事写真のうち、工事アルバム用の工事写真の枚数を数えるアルバム写真枚数取得ステップと、道路工事の内容を示す工事情報を取得する工事情報取得ステップと、工事情報に基づき、工事が所定規則に従う工事アルバムの作成に要求される要求写真枚数を算出する要求写真枚数算出ステップと、要求写真枚数を、工事アルバム用の工事写真の枚数がどれだけ満たしているか判定する充足度判定ステップと、を備える。
【０００８】
なお上記の発明の概要は、本発明の必要な特徴の全てを列挙したものではなく、これらの特徴群のサブコンビネーションも又発明となりうる。
【０００９】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１０】
図１は、本発明の道路工事写真アルバム充足度判定装置の概略を示す。道路工事写真アルバム充足度判定装置１０は、工事写真アルバム管理装置２０に備えられている。工事写真アルバム管理装置２０は、単に工事写真や工事写真アルバムを管理するだけの装置でも良く、アルバム編集機能を持った装置でも良い。また本実施形態の道路工事写真アルバム充足度判定装置１０は、カメラに内蔵されても良い。道路工事写真アルバム充足度判定装置１０は、アルバム写真枚数取得部７０、工事情報取得部３０、アルバム編集規格取得部８０、要求写真枚数算出部４０、充足度判定部５０、充足度表示部６０を備える。
【００１１】
工事写真アルバム管理装置２０は、工事写真１００や工事の内容を示す工事情報１１０を保存する保存部１２０を有する。道路工事写真アルバム充足度判定装置１０は、マウスやキーボード等の入力装置９０と接続されている。
【００１２】
工事情報取得部３０は、保存部１２０に保存された、道路工事の内容（工事種別、工事細目、工事区間、および道路幅など）を示す工事情報１１０を取得する。保存部１２０にない工事情報１１０は、入力装置９０で入力され、工事情報取得部３０で取得される。
【００１３】
アルバム編集規格取得部８０は、工事写真１００の撮影ポイントの間隔等に関する規格を格納している。アルバム編集規格取得部８０は、工事情報取得部３０で取得した工事情報１１０に基づき、工事写真１００の撮影ポイントに関する規格を選定する。
【００１４】
要求写真枚数算出部４０は、工事情報取得部３０が取得した工事情報１１０と、アルバム編集規格取得部８０が取得した撮影ポイントに関する規格から、アルバム編集に必要な写真の枚数を計算する。
【００１５】
アルバム編集に必要な写真枚数の計算例を示す。
【００１６】
図２は、ある種別の道路工事の概略を示す。道路工事領域１３０は、工事区間の長さ１４０と道路幅１５０で決まる。ただし、道路工事が道路幅１５０全部に達しない場合は、道路幅１５０ではなく、実際に道路工事が施工された幅である。
道路工事領域１３０内には、行政機関によって決められた撮影ポイント１７０が点在する。撮影は、工事細目毎に行われる。左側の道路工事断面１６０は、工事細目ａとして、たとえば道路の掘削時の断面を示す。右側の道路工事断面１６０では、工事細目ｂ〜ｄを例示する。ここでは、砂利敷き詰めやアスファルト舗装等が行われる。
【００１７】
ある工事細目に対する、アルバム編集に要求される工事写真１００の枚数の計算は、たとえば以下のようになる。工事区間が５００ｍで、道路幅が１０ｍのとき、撮影ポイント１７０が道路の中心において工事区間の端から始めて１０ｍおきであると決められているとする。この場合、アルバム編集に要求される工事写真１００の枚数は、１＋５００／１０＝５１（枚）である。これは、ひとつの細目に要求される枚数であるので、５１（枚）に工事細目の数を乗じたものが全工程に必要な工事写真１００の枚数である。
撮影ポイント１７０は、道路幅１５０に応じて、道路幅方向の数が変わることがある。
【００１８】
一方、アルバム写真枚数取得部７０は、保存部１２０に保存された工事写真１００のうち、アルバム編集に使用される写真の枚数をカウントする。枚数のカウントでは、アルバム編集に必要な全写真の枚数のほか、工事の工程を表す工事細目毎の写真の枚数をカウントしても良い。
【００１９】
充足度判定部５０は、要求写真枚数算出部４０が算出したアルバム編集に必要な写真の枚数と、アルバム写真枚数取得部７０が取得したアルバム用に撮影された写真の枚数から充足度を計算する。本実施形態では、充足度を両者の比率で表すが、比率以外に、必要の残り枚数で表しても良い。この計算は、アルバム編集に必要な全写真の枚数について行われる。また、この計算は、工事の工程を表す工事細目毎に必要な写真の枚数を対象として行われても良い。
【００２０】
図３は、本発明の道路工事写真アルバム充足度判定装置１０が有する充足度表示部６０の概略を示す。図３（ａ）は、充足度表示部６０が、文字で充足度を表示する場合である。図３（ｂ）は、充足度表示部６０が、図形で充足度を表示する場合である。図３（ｂ）の例では、斜線部が充足度を示している。各工事細目毎に充足度を表示しても良い。このような表示を見て、ユーザーは充足度を確認できる。また、図３（ｂ）のような表示が、カメラに備え付けられていれば、工事写真１００の取り忘れが防止できる。
【００２１】
充足度表示部６０は、アルバム編集に必要な写真に対する不足枚数の比率を、文字や画像で表示しても良い。
【００２２】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００２３】
【発明の効果】
上記説明から明らかなように、本発明によれば道路工事用のアルバム編集に最終的に必要な工事写真に対する、撮影済みの工事写真の充足度の表示により、充足度の確認や、写真の取り忘れ防止に役立つ道路工事写真アルバム充足度判定装置を提供する。
【図面の簡単な説明】
【図１】  本発明の道路工事写真アルバム充足度判定装置の概略を示す図である。
【図２】  ある種別の道路工事の概略を示す図である。
【図３】  本発明の道路工事写真アルバム充足度判定装置が有する充足度表示部の概略を示す図である。
【符号の説明】
１０  道路工事写真アルバム充足度判定装置
２０  工事写真アルバム管理装置
２２  撮影枚数取得部
３０  工事情報取得部
４０  要求写真枚数算出部
５０  充足度判定部
６０  充足度表示部
７０  アルバム写真枚数取得部
８０  アルバム編集規格取得部
９０  入力装置
１００  工事写真
１１０  工事情報
１２０  保存部
１３０  道路工事領域
１４０  工事区間の長さ
１５０  道路幅
１６０  道路工事断面
１８０  撮影ポイント
【図１】
0004049508.tif 000002
【図２】
0004049508.tif 000003
【図３】
0004049508.tif 000004